【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】
【請求項１】
情報を記憶する記憶手段を有し、コードが入力されたときに該コードと対応する情報の印刷処理を行う複数のプリント端末へ、ネットワークを介して情報を配信する情報配信装置であって、
コードと対応づけられた情報を取得する取得手段と、
前記取得手段が取得した取得情報を、前記複数のプリント端末の中からユーザにより指定された第１のプリント端末へ送信する第１送信手段と、
前記取得情報の送信先を、前記第１のプリント端末から、前記複数のプリント端末の中からユーザにより新たに指定された第２のプリント端末に変更するための変更指示を受け付ける受付手段と、
前記受付手段が前記変更指示を受け付けた場合に、前記取得情報を前記第２のプリント端末へ送信する第２送信手段と、
前記受付手段が前記変更指示を受け付けた場合に、前記変更指示に基づいて前記取得情報を記憶している前記第１のプリント端末を特定する特定手段と、
前記特定手段により特定された前記第１のプリント端末に対して、前記取得情報の削除要求を送信する第３送信手段と、
を備えたことを特徴とする情報配信装置。
【請求項２】
情報を記憶する記憶手段を有し、コードが入力されたときに該コードと対応する情報の印刷処理を行う複数のプリント端末へ、ネットワークを介して情報を配信する情報配信装置が実行する情報配信方法であって、
コードと対応づけられた情報を取得する取得工程と、
前記取得工程で取得した取得情報を、前記複数のプリント端末の中からユーザにより指定された第１のプリント端末へ送信する第１送信工程と、
前記取得情報の送信先を、前記第１のプリント端末から、前記複数のプリント端末の中からユーザにより新たに指定された第２のプリント端末に変更するための変更指示を受け付ける受付工程と、
前記受付工程で前記変更指示を受け付けた場合に、前記取得情報を前記第２のプリント端末へ送信する第２送信工程と、
前記受付工程で前記変更指示を受け付けた場合に、前記変更指示に基づいて前記取得情報を記憶している前記第１のプリント端末を特定する特定工程と、
前記特定工程で特定された前記第１のプリント端末に対して、前記取得情報の削除要求を送信する第３送信工程と、
を備えたことを特徴とする情報配信方法。
【請求項３】
情報を記憶する記憶手段を有し、コードが入力されたときに該コードと対応する情報の印刷処理を行う複数のプリント端末へ、ネットワークを介して情報を配信するコンピュータが実行するプログラムを記録した記録媒体であって、
前記プログラムが、
コードと対応づけられた情報を取得する取得工程と、
前記取得工程で取得した取得情報を、前記複数のプリント端末の中からユーザにより指定された第１のプリント端末へ送信する第１送信工程と、
前記取得情報の送信先を、前記第１のプリント端末から、前記複数のプリント端末の中からユーザにより新たに指定された第２のプリント端末に変更するための変更指示を受け付ける受付工程と、
前記受付工程で前記変更指示を受け付けた場合に、前記取得情報を前記第２のプリント端末へ送信する第２送信工程と、
前記受付工程で前記変更指示を受け付けた場合に、前記変更指示に基づいて前記取得情報を記憶している前記第１のプリント端末を特定する特定工程と、
前記特定工程で特定された前記第１のプリント端末に対して、前記取得情報の削除要求を送信する第３送信工程と、
を前記コンピュータに実行させる記録媒体。
【手続補正２】
【補正対象書類名】明細書
【補正対象項目名】発明の名称
【補正方法】変更
【補正の内容】
【発明の名称】情報配信装置、情報配信方法、及び、記録媒体
【手続補正３】
【補正対象書類名】明細書
【補正対象項目名】０００８
【補正方法】変更
【補正の内容】
【０００８】
従って、本発明の主たる目的は、提供された情報をユーザが迅速に取り出すことができる情報配信装置、情報配信方法、及び、記録媒体を提供することにある。
【手続補正４】
【補正対象書類名】明細書
【補正対象項目名】０００９
【補正方法】変更
【補正の内容】
【０００９】
【課題を解決するための手段】
本発明によれば、情報を記憶する記憶手段を有し、コードが入力されたときに該コードと対応する情報の印刷処理を行う複数のプリント端末へ、ネットワークを介して情報を配信する情報配信装置であって、コードと対応づけられた情報を取得する取得手段と、前記取得手段が取得した取得情報を、前記複数のプリント端末の中からユーザにより指定された第１のプリント端末へ送信する第１送信手段と、前記取得情報の送信先を、前記第１のプリント端末から、前記複数のプリント端末の中からユーザにより新たに指定された第２のプリント端末に変更するための変更指示を受け付ける受付手段と、前記受付手段が前記変更指示を受け付けた場合に、前記取得情報を前記第２のプリント端末へ送信する第２送信手段と、前記受付手段が前記変更指示を受け付けた場合に、前記変更指示に基づいて前記取得情報を記憶している前記第１のプリント端末を特定する特定手段と、前記特定手段により特定された前記第１のプリント端末に対して、前記取得情報の削除要求を送信する第３送信手段と、を備えたことを特徴とする情報配信装置が提供される。
【手続補正５】
【補正対象書類名】明細書
【補正対象項目名】００１０
【補正方法】変更
【補正の内容】
【００１０】
また、本発明によれば、情報を記憶する記憶手段を有し、コードが入力されたときに該コードと対応する情報の印刷処理を行う複数のプリント端末へ、ネットワークを介して情報を配信する情報配信装置が実行する情報配信方法であって、コードと対応づけられた情報を取得する取得工程と、前記取得工程で取得した取得情報を、前記複数のプリント端末の中からユーザにより指定された第１のプリント端末へ送信する第１送信工程と、前記取得情報の送信先を、前記第１のプリント端末から、前記複数のプリント端末の中からユーザにより新たに指定された第２のプリント端末に変更するための変更指示を受け付ける受付工程と、前記受付工程で前記変更指示を受け付けた場合に、前記取得情報を前記第２のプリント端末へ送信する第２送信工程と、前記受付工程で前記変更指示を受け付けた場合に、前記変更指示に基づいて前記取得情報を記憶している前記第１のプリント端末を特定する特定工程と、前記特定工程で特定された前記第１のプリント端末に対して、前記取得情報の削除要求を送信する第３送信工程と、を備えたことを特徴とする情報配信方法が提供される。
【手続補正６】
【補正対象書類名】明細書
【補正対象項目名】００１１
【補正方法】変更
【補正の内容】
【００１１】
また、本発明によれば、情報を記憶する記憶手段を有し、コードが入力されたときに該コードと対応する情報の印刷処理を行う複数のプリント端末へ、ネットワークを介して情報を配信するコンピュータが実行するプログラムを記録した記録媒体であって、前記プログラムが、コードと対応づけられた情報を取得する取得工程と、前記取得工程で取得した取得情報を、前記複数のプリント端末の中からユーザにより指定された第１のプリント端末へ送信する第１送信工程と、前記取得情報の送信先を、前記第１のプリント端末から、前記複数のプリント端末の中からユーザにより新たに指定された第２のプリント端末に変更するための変更指示を受け付ける受付工程と、前記受付工程で前記変更指示を受け付けた場合に、前記取得情報を前記第２のプリント端末へ送信する第２送信工程と、前記受付工程で前記変更指示を受け付けた場合に、前記変更指示に基づいて前記取得情報を記憶している前記第１のプリント端末を特定する特定工程と、前記特定工程で特定された前記第１のプリント端末に対して、前記取得情報の削除要求を送信する第３送信工程と、を前記コンピュータに実行させる記録媒体が提供される。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】